(57)【要約】【課題】  電気調理器具によって沸騰する蒸気が蒸気孔より噴出することで、状況により火傷の危険がある。とくに幼児においては皮膚も弱くこの限りで無い、よってこれらを解決する安全装置を提供するものである。【解決手段】  金属製などの耐熱材をカップ状にして、その外周全体を断熱材で覆った形状にして開口部を下向きにして、電気ポットなどの蒸気孔のやや上にセットできるように設ける。さらに前記カップ状中にモーターによって回転するファンを設けて蒸気温度下げるように構成したものである。【選択図】図２
2008194437.tif 000002
【特許請求の範囲】
【請求項１】
金属製などの耐熱材をカップ状に形成し、外周全体を断熱材で覆う、前記カップ状の開口部を下向きに利用することから、開口部の内側の周囲に水受け溝を設けて、前記カップを調理器具に着脱できる媒体を装備した支持棒を設けて、蒸気孔より出る蒸気温度を下げることを特徴とする調理器具の沸騰蒸気による安全装置。
【請求項２】
前記カップ状内にモーターによって回転するファンを設けて、前記モーターは蒸気温度を検知する温度センサーを設けて、設定温度に達すると動作するように設けたことを特徴とする請求項１記載の調理器具の沸騰蒸気による安全装置。
【請求項３】
前記ファンに設けた前記カップ状の上面に、外気吸入の複数の孔を設けたことを特徴とする請求項１、２記載の調理器具の沸騰蒸気による安全装置。
【請求項４】
前記支持棒の下部に吸着媒を取付けて、容易に調理器具に取付け取外しできるように設けたことを特徴とする請求項１、２、３記載の調理器具の沸騰蒸気による安全装置。
【発明の詳細な説明】
【技術分野】
【０００１】  本発明は、調理容器内に収容した液体を加熱のとき、沸騰蒸気の放出による火傷を防ぐことに関する。
【背景技術】
【０００２】  従来、調理器具において、電気式エアポット、電気式炊飯器などは、内蔵した電気ヒータなどの熱源で加熱により、沸騰した容器内の蒸気が蒸気通路を経て、電気ポットなどの蒸気孔より外部に排出する。この蒸気によって火傷をすることがある。とくに幼児においては皮膚が弱いことから一瞬の火傷となり極めて危険である。【０００３】  これらの蒸気による火傷を防ごうとする調理器具に、以下のようなものが広報によって知られている。
従来には、電気ポットのタンク内に発生した蒸気を外部に排出する蒸気孔を、ポット本体の外蓋を開閉可能に枢着するヒンジ部材に設ける。さらに押体の降下のストッパーより離れた位置にあることを特徴とした。（例えば特許文献１参照）
また、沸騰蒸気を蒸気逃がし路を通して連通する蒸気孔をそれぞれ設けて、上記蒸気が上面の操作部から水平方向に離れた位置に設けた電気ポットがある。（例えば特許文献２参照）【０００４】
【特許文献１】  特開平６−３２７５６２号公報
【特許文献２】  特公平２−２８３２７号公報
【発明の開示】
【発明が解決しようとする課題】
【０００５】  しかしながら、従来の電気調理器具や、電気ポットにも下記のような問題がある。
特許文献１、又は２において、容器内より発生した沸騰蒸気は、取扱上離れた位置の蒸気孔より外部に出るとはいえ火傷の危険は付きまとっているものである。とくに、幼児の手などが沸騰蒸気に触れると一瞬の火傷にさらされる問題点がある。【０００６】  そこで本発明は、上記の課題に鑑み、沸騰蒸気孔を有する電気調理器具や、電気ポットの沸騰蒸気の温度を下げる防護装置を即座に取付ける事ができるようにするものであることから、どのような器具にも利用できるようにしたものである。
【課題を解決するための手段】
【０００７】  上記の課題を解決するため、本発明は調理器具や電気ポットの蒸気出口の孔の上にセットするもので、耐熱材をカップ状に形成し、その外周全体を断熱材で覆う、前記カップ状の開口部を下向きに利用することから、開口部の周囲に水受け溝を設ける。
前記カップ状を調理器具に着脱できる媒体を装備した支持棒を取付けることで、蒸気孔より出る沸騰蒸気温度を沸騰より下げることができるようにすることを特徴としている。【０００８】  また、前記カップ状内にモーターによって回転するファンを設けて、前記モーターの動作は検知センサーによって蒸気孔より出る蒸気温度が設定温度に達すると、スイッチがオンとなり動作することで蒸気と外気とが混合して放出することで、さらに蒸気温度を下げることを特徴としている。【０００９】  さらに、前記ファンに設けた前記カップ状の上面に、外気吸入の複数の孔を設けて、前記ファンの回ることで外気を吸入して混合することで沸騰蒸気、蒸気温度を急激に下げることを特徴としている。【００１０】  また、調理器具や電気ポットに着脱できる媒体に吸着媒を取付けることで容易に調理器具などに取付け取外しができることを特徴とする。
【発明の効果】
【００１１】  本発明は、以上説明したように構成されているので、以下に記載されているような効果を奏する。【００１２】  請求項１記載の発明によれば、耐熱性である金属製のカップ状に沸騰蒸気が触れることで温度がやや低下し、その後カップ状によって拡散して外気に蒸発することで幼児、高齢者の弱い肌に触れても火傷を最小げに防ぐことができるものである。【００１３】  請求項２記載の発明によれば、沸騰蒸気がカップ状内のファンの回転によって外気との混合により蒸気温度が安全な温度に下げられ火傷の危険を防ぐことができるものである。【００１４】  請求項３記載の発明によれば、カップ状の上面の外気吸入孔より外気が強制的に吸い込まれ、沸騰蒸気と混合して急激に温度低下することで極めて安全な状態を得ることができるものである。【００１５】  請求項４記載の発明によれば、支持棒の下部に吸着媒を取付けることで、容易に電気ポットや調理器具に取付け取外しできることから、一台で様々な器具に利用できることで大変便利である。
【発明を実施するための最良の形態】
【００１６】  本発明の実施の形態について図面を参照して説明する。
図１〜図４を参照して、本発明に係る調理器具の沸騰蒸気による安全装置の第１実施例における図である。
１は沸騰蒸気による火傷を防ぐ安全装置のカップ状で、調理器具の沸騰蒸気による安全装置のカップ状１（以後カップ状１と記載する。）は金属製などの耐熱材カップ状２と、その表面全体を断熱性の材質で覆うように形成した断熱材カップ状３からなるもので、４は水受溝であってカップ状１の開放内側の周囲に設けるものである。５はカップ状１を保持する支持棒で、支持棒５をカップ状１の側面に取付ける。このとき支持棒５を止金具１０を用いて止める。また支持棒５の下部は差込み金具６を形成して、差込み金具６じように鍔９を取付ける。鍔９はやや上下移動できるように半固定に設ける。２４は蒸気をである。
なお差込み金具６は差込み受金具７に抜き差しできるようにするものである。
１１は調理器具である電気ポットで、１２は沸騰蒸気２４の逃し穴の蒸気孔である。【００１７】  なお、支持棒５は自在に曲げることができるような構造の棒状である。【００１８】  また、差込み受金具７の取付け板は撓る板である。取付け板の裏面は貼着材８によって電気ポット１１などの器具に容易に腹付け固定できるものである。【００１９】  したがって、利用するにあたり沸騰蒸気２４の安全装置であるカップ状１を電気ポット１１の蒸気孔１２のやや上の位置にセットするように電気ポット１１の側面に差込み受金具７を取付ける。取付けにあたり撓る取付け板の貼着材８によっておこなう。取付けた差込み受金具７に本体の差込み金具６を挿入して鍔９によてカップ状１位置の微調整を行うことがで最善の状態に固定してセットができるように設ける。【００２０】  よって、電気ポット１１内の水が熱せられて沸騰して蒸気孔１２より蒸気２４が放出されるとカップ１状の金属製の耐熱カップ２にあたり、熱量がやや吸収されて、その後カップ状１の開放口より拡散して外部に放出して外気と混じり沸騰蒸気２４の温度が下がることで、手が蒸気２４に触れても即座に火傷の危険性を防ぐことができるものである。
また、カップ状１に手が触れても周囲は断熱材カップ状３であるから安全である。【００２１】  蒸気２４がカップ状１内で冷やされることで水滴が付くが、この水滴は水受溝４に溜るようになる。してがって、必要に応じて差込み受金具７より本体であるカップ状１全体を取り外して水を処理することができる。【００２２】  なお、カップ状１の形状は円形、楕円形及び多角形状でも上記記載の効果に変化はないものである。【００２３】  また、図５、図６、図７は第２実施例を示すもので、１５はモーターでカップ状１Ａの外部の上部に設けてモーター１５の周囲にケスー１９を形成する。１６はカップ状の中に設けたファンでモーター１５と直結している。モーター１５の駆動回路は図８の回路構成で１３が電池、２０は主電源スイッチ、１８は制御回路と１４は温度センサーである。設定温度に達すると制御回路１８によってモーター１５に電力を送るシステムである。【００２４】  したがって、モーター１５とファン１６一体のカップ状１Ｂを前記記載の第１実施例と同様、電気ポット１１に取付ける。電気ポット１１を通電すると同時に図７に示す主電源スイッチ２０をオンする。電気ポット１１中の水が沸き始めると蒸気孔１２より蒸気１２が出始めることで温度センサー１４の周囲温度が上昇する、よって制御回路１８の設定した温度に達すると、制御回路１８は電池１３の電力をモーター１５へ伝送し駆動することでカップ状１Ａ内のファン１６が回転をして、蒸気２４を拡散しながら外気と混じりながら放出することで蒸気２４の温度が低下して安全な状況となり火傷の危険が無くなるものである。【００２５】  また、図８、図９は第３実施例を示すもので、前記の第２の実施例と同様にカップ状１Ｂにモーター１５Ｂとファン１６Ｂを備えた構造、及び回路構成も同じであるがカップ状１Ｂの上面に外気２５の吸い込む穴である外気吸入孔２１を複数設けるものである。【００２６】  したがって、前記記載の第２の実施例と同様、電気ポット１１内より蒸気孔１２より蒸気２４が出始めると、前記記載の第２項と同様にモーター１５Ｂの駆動によってファン１６Ｂが回転すると外気吸入孔２１より外気２５がカップ状１Ｂ内に吸収することでき、上昇の蒸気２４と混合して一気に蒸気温度の低下をすることでカップ状１Ｂより放出した蒸気の状態は極めて安全な温度となるため火傷の危険はより一層安全であるものである。【００２７】  また、図１０、図１１は第４実施例を示すもので、第１の実施例の差込み金具６と差込み受金具７の無い支持棒１Ｃにする。前記の曲げ可能な状態を保持できる支持棒１Ｃの下部に吸着媒２２を設ける。吸着媒２２の取付部は移動可能として２３は移動及び止具である。移動及び止具２３は半固定とすること、よって吸着媒は移動できるように設けることから最適の状態の位置で締付け具２５によって固定できるものである。。【００２８】  したがって、図１２に示すように電気ポット１１の上面に吸着媒２２によって吸着して固定する、とともに支持棒１Ｃを適当な所で曲げて、カップ状１の位置を蒸気孔１２の上に合わせるように移動及び止具２３を移動して所定の位置で固定することができる。よって吸着媒２２は必要に応じて着脱が容易である。とともに��の器具にも利用できることで一台で有効に活用できるものである。
【図面の簡単な説明】
【００２９】
【図１】本発明の第一実施例を示す図で、カップ状の平面図である。
【図２】本発明の第一実施例のカップ状の要部切欠側面図である。
【図３】本発明の第一実施例カップ状本体を電気ポットに取付けた状態の側面図である。
【図４】支持棒の下の差込み金具と、差込み受金具の部分拡大斜視図である。
【図５】本発明の第二実施例のカップ状の側面図である。
【図６】本発明の第二実施例のカップ状の底面図で、開放部より見た図である。
【図７】本発明のモーター駆動回路の回路構成図である。
【図８】本発明の第三実施例のカップ状上面の平面図である。
【図９】本発明の第三実施例のカップ状の要部側面図である。
【図１０】本発明の支持棒に吸着媒を取付けた状態の全体側面図である。
【図１１】吸着媒を用いて電気ポットに沸騰蒸気の安全装置取付けた要部側面図である。
【符号の説明】
【００３０】１、１Ａ、１Ｂ、１Ｃはカップ状                ２、２Ａ、２Ｂは耐熱材カップ
３、３Ａ、３Ｂは断熱材カップ                  ４、４Ａ、４Ｂは水受溝
５、５Ａ、５Ｂ、５Ｃは支持棒                  ６、６Ａは差込み金具
７、７Ａは差込み受金具                        ８は貼着材
９、９Ａは鍔                                  １０、１０Ａは止金具
１１、１１Ｃは電気ポット                      １２、１２Ｃは蒸気孔
１３は電池                                    １４、１４Ｂは温度センサー
１５、１５Ｂはモーター                        １６、１６Ｂはファン
１７、１７Ｂは電源部ケース                    １８は制御回路
１９、１９Ｂはモーターケース                  ２０は主電源スイッチ
２１は外気吸入孔                              ２２は吸着媒
２３は移動及び止具                            ２４は蒸気
２５は締付け具                                ２６、２６Ｂはスイッチツマミ
【図１】
2008194437.tif 000003
【図２】
2008194437.tif 000004
【図３】
2008194437.tif 000005
【図４】
2008194437.tif 000006
【図５】
2008194437.tif 000007
【図６】
2008194437.tif 000008
【図７】
2008194437.tif 000009
【図８】
2008194437.tif 000010
【図９】
2008194437.tif 000011
【図１０】
2008194437.tif 000012
【図１１】
2008194437.tif 000013